(57)【要約】【課題】記憶容量が大きな情報再生装置を提供すること。【解決手段】情報再生装置５は、ホログラムが形成された記憶媒体１に光を入射させ、該記憶媒体１からの再生光を受光して記憶媒体１に記録された光情報を再生する情報再生装置であって、記憶媒体１に光を入射する光源６と、前記再生光の一部を選択する再生光用マスク１０と、再生光用マスク１０により選択された再生光を受光する光検出器７とを有する。再生光用マスク１０は、記憶媒体１と光検出器７との間に配置される。【選択図】      図３
2005004098.tif 000002
【特許請求の範囲】
【請求項１】
ホログラムが形成された記憶媒体に光を入射させ、該記憶媒体からの再生光を受光して前記記憶媒体に記録された光情報を再生する情報再生装置であって、
前記記憶媒体に光を入射する光源と、
前記再生光の一部を選択する再生光用マスクと、
前記再生光用マスクにより選択された再生光を受光する光検出器と、
を有することを特徴とする情報再生装置。
【請求項２】
前記再生光用マスクは、前記記憶媒体と前記光検出器との間に配置されることを特徴とする請求項１に記載の情報再生装置。
【請求項３】
ホログラムが形成された記憶媒体に光を入射させ、該記憶媒体からの再生光を受光して前記記憶媒体に記録された光情報を再生する情報再生装置であって、
前記記憶媒体に光を入射するための光源と、
前記光源から出射する入射光を前記記憶媒体に選択的に入射させる入射光用マスクと、
前記再生光の一部を選択する再生光用マスクと、
前記再生光用マスクにより選択された再生光を受光する光検出器と、
を有し、
前記入射光用マスクは、前記再生光用マスクにより選択された一部の再生光の出射位置に対応する前記記憶媒体の入射位置のみに前記光源から出射する入射光を入射させることを特徴とする情報再生装置。
【請求項４】
前記入射光用マスクは、前記光源と前記記憶媒体との間に配置され、
前記再生光用マスクは、前記記憶媒体と前記光検出器との間に配置されることを特徴とする請求項３に記載の情報再生装置。
【請求項５】
ホログラムが形成された層を含んで構成された記憶媒体に光を入射させ、該記憶媒体からの再生光を受光して前記記憶媒体に記録された光情報を再生する情報再生装置であって、
前記記憶媒体に光を入射するための光源と、
前記再生光の一部を選択する再生光用マスクと、
前記再生光用マスクにより選択された再生光を受光する光検出器とを有し、
前記光源は前記記憶媒体の前記層に沿った幅方向に入射光を走査する走査機能を有することを特徴とする情報再生装置。
【請求項６】
再生光用マスクは、前記記憶媒体と前記光検出器との間に配置されることを特徴とする請求項５に記載の情報再生装置。
【請求項７】
ホログラムが形成された層を含んで構成された記憶媒体に光を入射させ、該記憶媒体からの再生光を受光して前記記憶媒体に記録された光情報を再生する情報再生装置であって、
前記記憶媒体に光を入射するための光源と、
前記光源から出射された光を前記記憶媒体の層に沿った幅方向に走査する光路走査器と、
前記再生光の一部を選択する再生光用マスクと、
前記再生光用マスクにより選択された再生光を受光する光検出器と、
を有することを特徴とする情報再生装置。
【請求項８】
前記光路走査器は、前記光源と前記記憶媒体との間に配置され、
前記再生光用マスクは、前記記憶媒体と前記光検出器との間に配置されることを特徴とする請求項７に記載の情報再生装置。
【請求項９】
前記記憶媒体は、
少なくとも１つのコア層と、
前記コア層を挟むように配置した少なくとも２つのクラッド層と、
前記コア層とクラッド層との境界あるいはコア層内に設けた少なくとも１つの回折格子層と、
を有することを特徴とする請求項１乃至８のいずれかに記載の情報再生装置。
【発明の詳細な説明】
【０００１】
【発明の属する技術分野】
本発明は、ホログラムが形成された記憶媒体に光を入射させ、該記憶媒体からの回折光を受光して前記記憶媒体に記録された光情報を再生する情報再生装置に関する。
【０００２】
【従来の技術】
従来の積層ホログラムＲＯＭを用いた情報再生装置（例えば、特許文献１参照。）を以下に説明する。
図１６は、記憶媒体１０１の側面（断面）を示す図であり、コア層１０２とクラッド層１０３とが交互に積層し、コア層１０２とクラッド層１０３との境界に回折格子層１０４が設けられた構造を成す。回折格子層１０４には情報が例えば凹凸形状によって記憶されている。
【０００３】
図１７は情報再生装置１０５の側面を示す図であり、光ヘッド１０６と、光検出器１０７とから構成される光ヘッド１０６は記憶媒体１０１の所望のコア層１０２に入射光１０８を入射する機能を持つ光ヘッド１０６により記憶媒体１０１の所望のコア層１０２に入射光１０８を入射させると、光は回折格子層１０４に記憶されている情報に依存して回折され、再生光１０９が記憶媒体１０１の上面に出射する。
【０００４】
これを光検出器１０７で検出すると記憶媒体１０１に記憶された情報を再生することができる。
記憶媒体１０１は小型大容量化でき、また情報再生装置１０５は構成、構造が単純なため小型化できる。積層ホログラムＲＯＭは将来の小型大容量なコンテンツ配布用メモリとして期待されている。
【０００５】
【特許文献１】
特開平１１−３４５４１９号公報
【０００６】
【発明が解決しようとする課題】
通常、光検出器１０７にはＣＣＤ、ＣＭＯＳなどの二次元光検出器を使うが、これら光検出器１０７ではピクセル数が高々数百万（数メガ）と少ない。記憶媒体１０１の回折格子層１０４から出射する再生光を光検出器１０７で検出して再生するという積層ホログラムＲＯＭの特徴から、回折格子層１０４の１層当たりの記憶容量は光検出器１０７のピクセル数で決定する。
【０００７】
例えば、光検出器１０７のピクセル数が数百万（数メガ）の場合、回折格子層１０４の１層当たりの容量は高々数百万ビット（数メガビット）となる。即ち、積層ホログラムＲＯＭでは、記憶密度に関する記憶媒体のポテンシャルは高いにも拘らず、光検出器１０７のピクセル数が少ないため、記憶容量が制限されてしまう、という問題が生じる。
以上、従来技術では、記憶容量を大きくすることができないという問題があった。
本発明はこのような事情に鑑みてなされたものであり、記憶容量が大きな情報再生装置を提供することを目的とする。
【０００８】
【課題を解決するための手段】
上記目的を達成するために、請求項１に記載の発明は、ホログラムが形成された記憶媒体に光を入射させ、該記憶媒体からの再生光を受光して前記記憶媒体に記録された光情報を再生する情報再生装置であって、前記記憶媒体に光を入射する光源と、前記再生光の一部を選択する再生光用マスクと、前記再生光用マスクにより選択された再生光を受光する光検出器とを有することを特徴とする。
【０００９】
また、請求項２に記載の発明は、請求項１に記載の情報再生装置において、前記再生光用マスクは、前記記憶媒体と前記光検出器との間に配置されることを特徴とする。
【００１０】
また、請求項３に記載の発明は、ホログラムが形成された記憶媒体に光を入射させ、該記憶媒体からの再生光を受光して前記記憶媒体に記録された光情報を再生する情報再生装置であって、前記記憶媒体に光を入射するための光源と、
前記光源から出射する入射光を前記記憶媒体に選択的に入射させる入射光用マスクと、前記再生光の一部を選択する再生光用マスクと、前記再生光用マスクにより選択された再生光を受光する光検出器とを有し、前記入射光用マスクは、前記再生光用マスクにより選択された一部の再生光の出射位置に対応する前記記憶媒体の入射位置のみに前記光源から出射する入射光を入射させることを特徴とする。
【００１１】
また、請求項４に記載の発明は、請求項３に記載の情報再生装置において、前記入射光用マスクは、前記光源と前記記憶媒体との間に配置され、前記再生光用マスクは、前記記憶媒体と前記光検出器との間に配置されることを特徴とする。
【００１２】
また、請求項５に記載の発明は、ホログラムが形成された層を含んで構成された記憶媒体に光を入射させ、該記憶媒体からの再生光を受光して前記記憶媒体に記録された光情報を再生する情報再生装置であって、前記記憶媒体に光を入射するための光源と、前記再生光の一部を選択する再生光用マスクと、前記再生光用マスクにより選択された再生光を受光する光検出器とを有し、前記光源は前記記憶媒体の前記層に沿った幅方向に入射光を走査する走査機能を有することを特徴とする。
【００１３】
また、請求項６に記載の発明は、請求項５に記載の情報再生装置において、再生光用マスクは、前記記憶媒体と前記光検出器との間に配置されることを特徴とする。
【００１４】
また、請求項７に記載の発明は、ホログラムが形成された層を含んで構成された記憶媒体に光を入射させ、該記憶媒体からの再生光を受光して前記記憶媒体に記録された光情報を再生する情報再生装置であって、前記記憶媒体に光を入射するための光源と、前記光源から出射された光を前記記憶媒体の層に沿った幅方向に走査する光路走査器と、前記再生光の一部を選択する再生光用マスクと、前記再生光用マスクにより選択された再生光を受光する光検出器とを有することを特徴とする。
【００１５】
また、請求項８に記載の発明は、請求項７に記載の情報再生装置において、前記光路走査器は、前記光源と前記記憶媒体との間に配置され、前記再生光用マスクは、前記記憶媒体と前記光検出器との間に配置されることを特徴とする。
【００１６】
また、請求項９に記載の発明は、請求項１乃至８のいずれかに記載の情報再生装置前記記憶媒体は、少なくとも１つのコア層と、前記コア層を挟むように配置した少なくとも２つのクラッド層と、前記コア層とクラッド層との境界あるいはコア層内に設けた少なくとも１つの回折格子層と、を有することを特徴とする。
【００１７】
【発明の実施の形態】
以下、本発明の実施形態を、図面を参照して詳細に説明する。
＜記憶媒体の実施例＞
図１は、本発明に用いる記憶媒体１の第１実施例の構成を示しており、記憶媒体１の側面（断面）を示す図である。同図において、記憶媒体１は、１つのコア層２と、コア層２を挟むように配置した２つのクラッド層３と、コア層２とクラッド層３との境界あるいはコア層２内に設けた１つの回折格子層４とから構成される。
【００１８】
図２は、本発明に用いる記憶媒体１の第２実施例の構成を示しており、記憶媒体１の側面（断面）を示す図である。同図において、記憶媒体１は、複数のコア層２と、コア層２を挟むように配置した複数のクラッド層３と、コア層２とクラッド層３との境界あるいはコア層２内に設けた複数の回折格子層４とから構成される。図２に示す記憶媒体１の方が図１に示す記憶媒体１に比して大容量化できる点で有利である。回折格子層４には情報が例えば凹凸形状、あるいは屈折率分布として記憶されており、コア層２に入射光を入射させると、光は回折格子層４に記憶されている情報に依存して回折され、記憶媒体１の上面（および下面）に再生光が出射する。コア層２の厚さは１μｍ程度、クラッド層３の厚さは１０μｍ程度である。
【００１９】
コア層２への入射光の入射方法としては、（１）記憶媒体１の端面から入射させる方法、各コア層２に光結合部を設け、記憶媒体１の上面あるいは下面から入射させる方法、（２）各コア層２にミラー面を設け、記憶媒体１の上面あるいは下面から入射させる方法が挙げられ、これらはいずれも同様の効果を奏する。
但し、記憶媒体１の端面から入射させる方法は記憶媒体１に光結合部、ミラー面などを設ける必要がない点で有利である。
【００２０】
＜情報再生装置の第１実施例＞
図３は本発明に係る情報再生装置５の第１実施例の構成を示している。同図において、情報再生装置５は、ホログラムが形成された記憶媒体１に光を入射させ、該記憶媒体１からの再生光を受光して記憶媒体１に記録された光情報を再生する情報再生装置であって、記憶媒体１に光を入射する光源６と、前記再生光の一部を選択する再生光用マスク１０と、再生光用マスク１０により選択された再生光を受光する光検出器７とを有する。
再生光用マスク１０は、記憶媒体１と光検出器７との間に配置される。
光源６からの光を記憶媒体１の所望のコア層２に入射光８として入射させると、再生光９が例えば記憶媒体１の上面に出射する。これを光検出器７で検出すると記憶媒体１に記憶された情報を再生することができる。
【００２１】
光源６は、入射光８の発生源であり、例えば各種レーザ光源が使用でき、また例えば光を引き回すミラー、コリメータなど光学部品、入射光８をコア層２に集光させる機能をもつ集光レンズ、入射光８を所望のコア層２の位置、角度で入射させる機能を持つアクチュエータなどと組み合わさって光ヘッド（図示せず）を構成する。
光ヘッドは記憶媒体１の所望のコア層２に入射光８を入射する機能を持つ。また、光ヘッドは特定のコア層２の位置、角度に入射光８を移動、停止させるサーボ機能を有する。本情報再生装置は必要に応じてサーボ用光検出器を具備しても良い。
【００２２】
光検出器７は、記憶媒体１から出射した再生光９を検出する機能を持つ。必要に応じて移動機構を有する。なおこの際、光検出器７と記憶媒体１が相対的に移動すれば良く、記憶媒体１側が移動機構を有しても良い。光検出器７は、ＣＣＤ、ＣＭＯＳなど二次元光検出器、ラインセンサなど一次元光検出器、フォトダイオードなどが例として挙げられる。再生光９は二次元データとして出射されるためー次元光検出器、さらに二次元光検出器ではこれをより短時間で検出できるという点で有利である。
【００２３】
再生光用マスク１０は、記憶媒体１と光検出器７との間に配置され、各々の回折格子層４に多重に情報を記憶した場合、各回折格子層４から出射する複数の再生光９を分離再生する機能を持つ。
図３を参照して多重分離再生について説明する。記憶媒体１の各回折格子層４には複数の情報が多重記憶されている。再生光用マスク１０の開口１１の位置を変えることにより、同じ回折格子層４から異なる情報を分離再生することができる。
【００２４】
このように再生光用マスク１０を用いると、１つの回折格子層４から、光検出器７の複数画面分の情報を再生することができるため、光検出器７のピクセル数に制限されることなく、記憶媒体１の記憶容量を大きくすることが可能となる。即ち、多重情報記憶・再生が可能となるため大容量化が図れるという効果がある。
再生光用マスク１０としては、液晶素子から成り電気的に開口１１の位置を変化させるもの、開口１１の位置を固定したマスクを移動させるもの等が挙げられる。前者の再生光用マスク１０は機械的駆動が不要となり有利である。
【００２５】
光源６、再生光用マスク１０、光検出器７など本発明に係る情報再生装置５の構成要素の数は１つあるいは複数でも良く同様の効果を奏する（本明細書中の全ての構成要素に関しても同様）。
なお、情報再生装置５の構成要素として、記憶媒体１を情報再生装置５内に装填する入り口である記憶媒体装填口、記憶媒体１が装填されるスペースである記憶媒体装填スペース、記憶媒体１を情報再生装置５内で固定しローディング、チャック、取出し機能を有する記憶媒体装填台を具備しても良い。これらは記憶媒体１をドライブ５に容易にかつ安定に装填する効果がある。
【００２６】
情報再生装置５の他の構成要素としては、図示してにないが、例えば以下が挙げられる。
光路制御器：記憶媒体１と光検出器７との間に配置され、再生光９の出射光路を変化制御する機能を持つ。レンズ、プリズムなどが挙げられ同様の効果を奏する。例えば再生光９の光束の幅を狭めたり、集光させる機能を有し、これにより記憶媒体１のデータ領域に比較し光検出器７を小さくすることができ、光検出器７として小型で安価なものが使える、光検出器７の移動を無くすことができ、あるいは移動距離を小さくできデータの再生を高速化できるなどの効果がある。
なお、再生光用マスク１０と光路制御器は配置が入れ替わっても同様の効果を奏する。
【００２７】
論理／制御回路：データ信号の処理、および光源６、光ヘッド、光検出器７、再生光用マスク１０などアクティブ素子を駆動制御する機能を持つ回路である（後述光源６の走査、入射光用マスク１２、光路走査器１４などの駆動制御の機能も含む）。
なお、本明細書で図示した情報再生装置５は、本発明の典型的な実施例に過ぎず、各構成要素の配置が変わったものも本発明の範疇とする。これら構成要素の配置が変わったものも同様の効果を奏する。
【００２８】
図４は本発明に係る情報再生装置５の第１実施例の変形例を示している。図３に示した第１実施例と異なるのは、光検出器７と再生用マスク１０の間に偏光器１５が配されている点である。偏光器１５はある特定の偏光の光のみを通過させる機能を持つ。再生用マスク１０が液晶から構成される場合、再生用マスク１０を通過する光（再生光９）はある角度に偏光した光となる。この偏光の光が通過するよう偏光器１５を設定すると、再生光９は透過し、迷光の大部分を遮光することができる。即ち光検出器７に入射する光のＳＮ比を向上させることが可能となる。
【００２９】
偏光器１５としては、二色性偏光子、複屈折偏光子、ワイヤグリッド偏光子、ブリュースタ偏光子などが挙げられ、いずれを用いても同様の効果を奏する。なお、薄膜からなる偏光フィルムを光検出器７に貼り付ける方法は装置の小型化を図ることができるという効果がある。
【００３０】
図５は本発明に係る情報再生装置５の第１実施例の他の変形例を示している。図３に示した第１実施例と構成上、異なるのは、第１記憶媒体１の光検出器７側と反対側で記憶媒体１と筐体１７との間、記憶媒体１の入射光８が入射する側と反対側で記憶媒体１と筐体１７との間などの位置に一方向器１６が配置されている点である。
一方向器１６は片側から通過した光が反射してもどる際、この反射もどり光を通過させない機能を持つ。図５の例では、図上、記憶媒体１の下に配置された一方向器１６は、上側から来た光が一方向器１６を通過した後筐体で反射された反射もどり光を上方向に通過するのを遮光する。
【００３１】
一方、記憶媒体１の右に配置された一方向器１６は、左側から来た光が一方向器１６を通過した後筐体で反射された反射もどり光を左方向に通過するのを遮光する。
回折格子層４（図２参照）で回折される再生光９は図の上方だけでなく、下方にも同様に出射する。また図の左からコア層２（図２参照）に入射した入射光８はコア層２を伝播した後記憶媒体１の右側に突き抜け出射する。これらの光が筐体で反射されるとこれら反射もどり光は直接あるいは色々な場所で反射された後に間接的に、あるいはこれら反射もどり光が色々な位置の回折格子層４に入射しここから不要な再生光８を出射し、結果として光検出器７に迷光即ちノイズ光となって入射することになる。
【００３２】
一方向器１６を上記のように配置することでこれらノイズ光が光検出器７に入射することを妨げることができ、ノイズ低減、ＳＮ比向上を図ることが可能となる。一方向器１６としては、例えば光アイソレータ、λ／４板（四分の一波長板）などが挙げられ、いずれも同様の効果を奏する。
以上、再生光用マスク１０を用いることにより情報再生装置５の大容量化が図れることが示された。
【００３３】
通常、液晶素子の遮光率は９９．９％程度であり、０．１％程度の光は透過する。よって再生光用マスク１０として液晶素子から成るものを使用した場合、回折格子層４のマスクした領域からの再生光９も再生光用マスク１０を透過して光検出器７に検出される。これは不要な光であり、ノイズとなる。多重数を増やすほど、また光路制御器により記憶媒体１のデータ領域に対して小さな光検出器７を用いる場合、再生光用マスク１０の表面のうち、開口１１の面積の占める割合は減少しマスクする部分が増える。即ちノイズも増加する。
以下にこれを解決する本発明の実施例を示す。
【００３４】
＜情報再生装置の第２実施例＞
図６は本発明に係る情報再生装置５の第２実施例の構成を示している。同図において、情報再生装置５は、ホログラムが形成された記憶媒体１に光を入射させ、該記憶媒体１からの再生光を受光して記憶媒体１に記録された光情報を再生する情報再生装置であって、記憶媒体１に光を入射するための光源６と、光源６から出射する入射光を記憶媒体１に選択的に入射させる入射光用マスク１２と、再生光の一部を選択する再生光用マスク１０と、再生光用マスク１０により選択された再生光を受光する光検出器７とを有し、入射光用マスク１２は、再生光用マスク１０により選択された一部の再生光の出射位置に対応する記憶媒体１の入射位置のみに光源６から出射する入射光を入射させることを特徴としている。
入射光用マスク１２は、光源６と記憶媒体１との間に配置され、再生光用マスク１０は、記憶媒体１と光検出器７との間に配置される。
情報再生装置５の基本的な動作、構成要素は上記第１実施例と同様である。
【００３５】
図７に図６を上から見た図を示す。この例では、記憶媒体１、再生光用マスク１０は３×３の領域を４つ並べて分割されており、再生光用マスク１０は３×３の領域の内１箇所が開口１１となっている。開口１１の位置は３×３のうちどこか１箇所となるため、この例では９多重となる。今、図７に示すように入射光用マスク１２の開口１１の位置を再生光用マスク１０における開口１１の位置と合わせると、入射光用マスク１２がない場合、全部で８×４＝３２箇所から光検出器７に入っていたノイズ光を、入射光用マスク１２を用いることで２×４＝８箇所に減らすことができる（図７中のマスク領域で、薄く描画した箇所に対応。以下同様）。
【００３６】
このように入射光用マスク１２を用いることによって光検出器７に入るノイズ光を低減できるという効果を奏する。
入射光用マスク１２としては、液晶素子から成り電気的に開口１１の位置を変化させるもの、開口１１の位置を固定したマスクを移動させるもの等が挙げられる。前者は機械的駆動が不要となり有利である。液晶素子を使用した場合、遮光率は９９．９％程度であるが、入射光用マスク１２と再生光用マスク１０により２重に遮光されるため、透過率は０．１％×０．１９６＝０．０００１％程度となり無視し得る大きさとなる。
【００３７】
なお、図８に示すように、入射光用マスク１２を再生光用マスク１０と一体化することもできる。これにより、部品点数を減らせ、制御回路も１つにできるため、スペース削減、コスト削減の効果が得られる。図８の例では、入射光８の方向を変えるため、ミラーなどの引き回し用光学部品１３を使用している。
また、光源６は、種々の光学部品などと組み合わさって光ヘッドを構成することは第１実施例と同様である。
【００３８】
＜情報再生装置の第３実施例＞
図９は本発明に係るの第３実施例の構成を示している。同図において、情報再生装置５は、ホログラムが形成された層を含んで構成された記憶媒体１に光を入射させ、該記憶媒体１からの再生光を受光して記憶媒体１に記録された光情報を再生する情報再生装置であって、記憶媒体１に光を入射するための光源６と、前記再生光の一部を選択する再生光用マスク１０と、再生光用マスク１０により選択された再生光を受光する光検出器７とを有する。
また、光源６は記憶媒体１の前記ホログラムが形成された層に沿った幅方向に入射光を走査する走査機能を有する。
再生光用マスク１０は、記憶媒体１と光検出器７との間に配置される。情報再生装置５の基本的な動作、構成要素は上記第１実施例と同様である。
【００３９】
第２実施例では、図７に示すように入射光８を記憶媒体１の幅いっぱいに広げており、このうち情報再生に寄与するのは入射光用マスク１２の開口１１を通過した光のみであるため入射光８の利用効率が悪い。例えば、図７の例では、光源６からの入射光８のうち、６分の２のみの利用となっている。
これに対し、第３実施例では、入射光８は再生光用マスク１０の開口１１の幅で記憶媒体１に入射し、光源６は、この入射光８を記憶媒体１の幅方向に走査する機能を有する。このように構成することにより、光源６からの入射光８の全てを記憶媒体１に入射させることができ、効率良く情報再生に利用できるという効果がある。
【００４０】
図１０に図９を上から見た図を示す。図１０の例では、図７の例に比較し、入射光８の利用効率は３倍に上がっている。
なお、走査駆動機構を用いて光源６自体を走査させるもの、走査機能を有する部品上に光源６を配置させるものが挙げられ、いずれも同様の効果を奏する。
また、光源６を点灯状態で走査する方法、光源６を再生光用マスク１０の開口１１の位置に同期させて点灯させ走査する方法、前述の入射光用マスク１２を併用する方法、光検出器７を動作状態にして走査する方法、光検出器７を入射光８が走査されて再生光用マスク１０の開口１１の位置に来た時に同期させて動作させる方法およびこれらを併用する方法などが挙げられる。
【００４１】
入射光８が再生光用マスク１０の開口１１の位置に来た時のみ光源を点灯させ、光検出器を動作状態とする方法は、ノイズ低減、消費電力低減の点で有利である。
光源６と記憶媒体１の間に集光レンズ、コリメータなどの光学部品を配置しても構わない。また、光源６は、種々の光学部品などと組み合わさって光ヘッドを構成することは第１実施例と同様である。
【００４２】
＜情報再生装置の第４実施例＞
図１１は本発明に係る情報再生装置５の第４実施例の構成を示している。同図において、情報再生装置５は、ホログラムが形成された層を含んで構成された記憶媒体１に光を入射させ、該記憶媒体１からの再生光を受光して記憶媒体１に記録された光情報を再生する情報再生装置であって、記憶媒体１に光を入射するための光源６と、光源６から出射された光を記憶媒体１の層に沿った幅方向に走査する光路走査器１４と、前記再生光の一部を選択する再生光用マスク１０と、再生光用マスク１０により選択された再生光を受光する光検出器７とを有する。
光路走査器１４は、光源６と記憶媒体１との間に配置され、再生光用マスク１０は、記憶媒体１と光検出器７との間に配置される。
情報再生装置５の基本的な動作、構成要素は上記第１実施例と同様である。
【００４３】
第４実施例では、入射光８は再生光用マスク１０の開口１１の幅で記憶媒体１に入射し、光路走査器１４は、この入射光８を記憶媒体１の幅方向に走査する機能を有する。こうすることで、光源６からの入射光８の全てを記憶媒体１に入射させることができ、効率良く情報再生に利用できるという効果がある。
【００４４】
図１２に図１１を上から見た図を示す。図１２の例では、図７の例に比較し、入射光８の利用効率は３倍に上がっている。光源６、再生光用マスク１０、入射光用マスク１２、光検出器７の動作方法としては上記第３実施例と同様の方法が挙げられ、入射光８が再生光用マスク１０の開口１１の位置に来た時のみ光源を点灯状態とし、光検出器を動作状態にする方法は、ノイズ低減、消費電力低減の点で有利である。
【００４５】
なお、光路走査器１４としては、ポリゴンミラー、ガルバノミラーなどのミラーを用いるもの、音響光学素子（ＡＯＤ）、電気光学素子（ＥＯＤ）など光の進行方向を変える機能を有する素子を用いるものなどが挙げられ、いずれも同様の効果を奏する。また、光源６は、種々の光学部品などと組み合わさって光ヘッドを構成することは第１の実施例と同様である。
【００４６】
なお、第３、第４実施例に代わり、複数の光源６（レーザ光源、光ヘッドなど）を用い、これらを順次点灯状態、消燈状態にする、あるいは入射光用マスク１２と併用し、入射光用マスク１２の開口位置を順次ＯＮ，ＯＦＦするなどして、入射光８を走査させることもでき、同様の効果を得ることができる。
【００４７】
図１３（ａ）は光源６を６個用い、上から２番目のみを点灯状態にし、それ以外を消燈状態にして動作させた例である。また、図１３（ｂ）は左側から光源６を３個、右側から光源６を３個用い、入射光用マスク１２を併用し、左側の上から２番目のみ開口をＯＮ、他をＯＦＦして動作させた例である。この時、回折格子層４は左側からの入射光８に対応するもの、右側からの入射光８に対応するものとして作成される必要がある。図１３（ａ）では左側だけのレイアウトとなり装置が小型、単純化するという利点がある。
【００４８】
一方、図１３（ｂ）では、隣り合った入射光８を隙間なく配置でき、媒体利用率が向上する、即ち記憶容量が向上するという利点がある。
図１４（ａ）は同様に図上、左側と下方から複数の光源６を用い入射光８を入射させた例である。
【００４９】
このように左側からと下方からの入射光８に対して再生光９を出射させるためには、例えば図１４（ｂ）に示すように、コア層２の上下に回折格子層４を設け、例えば、上部の回折格子層４は左側からの入射光８に対して再生光９を出射、一方下部の回折格子層４は下方からの入射光８に対して再生光９を出射するよう、上下の回折格子層４の回折格子が直交するように作製する方法、あるいはコア層２に対して回折格子層４は１層だが回折格子層４によって、左側からの入射光８に対応、下方からの入射光８に対応と区別して作製する方法などが挙げられる。
【００５０】
前者の方が同数のコア層２、クラッド層３に対して回折格子層４の数を増やすことができ、従って記憶容量を向上させることができ、有利である。
なお、上記のように複数の入射光用マスク１２の使用、直交する回折格子層の使用は本明細書に記載の全実施例に対しても適用でき、同様の効果を得ることができる。
また、本明細書に記載の実施例を組み合わせたものも、本発明の範疇であり、いずれも同様の効果を奏する。
【００５１】
図１５（ａ）は記憶媒体１の別の実施例であり、記憶媒体１の上面（あるいは下面）を表す図である。データが記憶されるデータ領域１７は、記憶媒体１の中で図上、上下２領域に分かれている。これらデータ領域１７は、互いに接していても離れていても同様の効果を奏する。例えば、記憶媒体１の左端下部から下側のデータ領域１７に入射した入射光８は記憶媒体１の右端の４５度ミラー面１８で反射を繰返し、上側のデータ領域１７に入射する。
一方、記憶媒体１の左端上部から上側のデータ領域１７に入射した入射光８は記憶媒体１の右端の４５度ミラー面１８で反射を繰返し、下側のデータ領域１７に入射する。
【００５２】
図１５（ｂ）は同様に４５度ミラー面を記憶媒体１の左右に多数設け、データ領域が多数の領域に分かれて設けられた例であり、同様に左端下部から入射させた入射光８は４５度ミラー面１８で反射を繰返し、全てのデータ領域を通過し、一方、左端上部から入射させた入射光８は４５度ミラー面１８で反射を繰返し同様に全てのデータ領域を通過する。
【００５３】
図１５（ａ）、（ｂ）に対応した記憶媒体１としては、その断面が図１４（ｂ）に示すように、コア層２の上下に回折格子層４が配されたものが挙げられる。例えば、上側の回折格子層４は左から右へ進む入射光８に対応して作製されており、この回折格子層４から出射する再生光９は光検出器７位置で結像し再生される。
一方、下側の回折格子層４は右から左へ進む入射光８に対応して作製されており、この回折格子層４から出射する再生光９は光検出器７位置で結像し再生される。左右、上下が入れ替わっても同様の効果を奏する。
【００５４】
なお、４５度ミラー面は記憶媒体１の外側に情報再生装置５の構成要素として設けられても同様の効果を奏する。また、上記実施例では入射光８は左端から入射しているが、右、上、左から入射およびこれらの組み合わせ（上下と左右両方など）としても同様の効果を奏する。
上記のようにすることで、１層のコア層２に対して２層以上の回折格子層４を対応させることができるため、記憶密度を高めることができるという利点がある。
また、図１５（ｂ）のようにデータ領域１７を多数に分離すると入射光８を入射させる記憶媒体１端面を小さくできるため、入射光８をさほど広げることなく絞って記憶媒体１に入射させることができ、入射光８の利用効率を高めることが可能となる。
【００５５】
なお、入射光８の入射方法としては、本明細書に記載するように、入射光用マスク１２を使う方法、入射光８を走査する方法などが挙げられ、いずれも同様の効果を奏する。また、本実施例を本明細書の他の実施例と組み合わせたものも本発明の権利範疇とする。
再生光９のノイズが低減すると、高効率な符号を適用することが可能となり高密度大容量化できる、再生データの処理が容易となり高速化できるなどの効果を奏する。
【００５６】
【発明の効果】
以上説明したように本発明によれば、記憶容量が大き＜、高速な情報再生装置を実現できるという効果を有する。
【図面の簡単な説明】
【図１】本発明に用いる記憶媒体の第１実施例の構成を示す図。
【図２】本発明に用いる記憶媒体の第２実施例の構成を示す図。
【図３】本発明に係る情報再生装置の第１実施例の構成を示す図。
【図４】本発明に係る情報再生装置の第１実施例の変形例を示す図。
【図５】本発明に係る情報再生装置の第１実施例の他の変形例を示す図。
【図６】本発明に係る情報再生装置の第２実施例の構成を示す図。
【図７】図６に示した情報再生装置における光検出器を除いた平面図の一部を示す説明図。
【図８】本発明に係る情報再生装置の第２実施例の変形例の構成を示す図。
【図９】本発明に係る情報再生装置の第３実施例の構成を示す図。
【図１０】図９に示した情報再生装置における光検出器を除いた平面図の一部を示す説明図。
【図１１】本発明に係る情報再生装置の第４実施例の構成を示す図。
【図１２】図１１に示した情報再生装置における光検出器を除いた平面図の一部を示す説明図。
【図１３】本発明に係る情報再生装置の第３、第４実施例の変形例の一例の動作を示す説明図。
【図１４】本発明に係る情報再生装置の第３、第４実施例の変形例の他の例の動作及びそれに用いる記憶媒体の構成例を示す説明図。
【図１５】本発明に用いる記憶媒体の他の実施例の構成を示す図。
【図１６】従来の記憶媒体の構成を示す断面図。
【図１７】従来の情報再生装置の構成を示す図。
【符号の説明】
１，１０１：記憶媒体、２，１０２：コア層、３，１０３：クラッド層、４，１０４：回折格子層、５，１０５：情報再生装置、６：光源、１０６：光ヘッド、７，１０７：光検出器、８，１０８：入射光、９，１０９：再生光、１０：再生光用マスク、１１：開口、１２：入射光用マスク、１３：引き回し用光学部品、１４：光路走査器
【図１】
2005004098.tif 000003
【図２】
2005004098.tif 000004
【図３】
2005004098.tif 000005
【図４】
2005004098.tif 000006
【図５】
2005004098.tif 000007
【図６】
2005004098.tif 000008
【図７】
2005004098.tif 000009
【図８】
2005004098.tif 000010
【図９】
2005004098.tif 000011
【図１０】
2005004098.tif 000012
【図１１】
2005004098.tif 000013
【図１２】
2005004098.tif 000014
【図１３】
2005004098.tif 000015
【図１４】
2005004098.tif 000016
【図１５】
2005004098.tif 000017
【図１６】
2005004098.tif 000018
【図１７】
2005004098.tif 000019